(57)【要約】【課題】光ディスク回転駆動機構の駆動により光ディスクが回転する際に生じる騒音等を抑制することのできるディスク装置を提供すること。【解決手段】本発明のディスク装置１は、外装ケース２５を有する装置本体２と、装置本体２に光ディスク２００を装填・排出するディスクトレイ１１と、装置本体２内で変位可能に設置されたシャーシと、このシャーシに搭載され、光ディスク２００を装着するターンテーブルを有し、前記シャーシの変位により上下に移動する光ディスク回転駆動機構と、外装ケース２５の天板２３に対し回転可能に設置され、ターンテーブルとの間で光ディスクを挟持するディスククランパとを有し、天板２３の内側に、複数の孔９１が形成された孔あき板９が間隙９２を介して設置されている。【選択図】図５
2005044469.tif 000002
【特許請求の範囲】
【請求項１】
光ディスクに記録された情報を再生する機能を有するディスク装置であって、
外装ケースを有する装置本体と、
前記装置本体に光ディスクを装填する装填位置と、該装填位置より前側の、光ディスクを排出する排出位置とに移動可能なディスクトレイと、
前記装置本体内で変位可能に設置されたシャーシと、
前記シャーシに搭載され、光ディスクを装着するターンテーブルを有し、前記シャーシの変位により前記装置本体内で上昇位置と下降位置とに移動する光ディスク回転駆動機構と、
前記外装ケースの天板に対し回転可能に設置され、前記光ディスク回転駆動機構が前記上昇位置に移動したとき前記ターンテーブルとの間で光ディスクを挟持するディスククランパとを有し、
前記天板の内側に、複数の孔が形成された孔あき板が間隙を介して設置されていることを特徴とするディスク装置。
【請求項２】
光ディスクに記録された情報を再生する機能を有するディスク装置であって、
外装ケースを有する装置本体と、
前記装置本体に光ディスクを装填する装填位置と、該装填位置より前側の、光ディスクを排出する排出位置とに移動可能なディスクトレイと、
前記装置本体内で変位可能に設置されたシャーシと、
前記シャーシに搭載され、光ディスクを装着するターンテーブルを有し、前記シャーシの変位により前記装置本体内で上昇位置と下降位置とに移動する光ディスク回転駆動機構と、
前記外装ケースの天板に対し回転可能に設置され、前記光ディスク回転駆動機構が前記上昇位置に移動したとき前記ターンテーブルとの間で光ディスクを挟持するディスククランパと、
前記ディスクトレイの前記光ディスクを載置する面と反対側に間隙を介して設置された裏板とを有し、
前記ディスクトレイには、複数の孔が形成されていることを特徴とするディスク装置。
【請求項３】
前記孔の形成部分の厚さが０．４〜１ｍｍであり、
前記間隙の距離が０．５〜５ｍｍであり、
前記孔の直径が０．６〜２ｍｍであり、
隣り合う前記孔同士の中心間距離が１０〜２０ｍｍである請求項１または２に記載のディスク装置。
【請求項４】
前記間隙には、吸音材が設置されている請求項１ないし３のいずれかに記載のディスク装置。
【発明の詳細な説明】
【技術分野】
【０００１】
本発明は、光ディスクを再生、または記録／再生するディスク装置に関する。
【背景技術】
【０００２】
ＣＤ−ＲＯＭ、ＣＤ−Ｒ、ＣＤ−ＲＷ、ＤＶＤ等の光ディスクを再生、または記録／再生するディスク装置が知られている。このディスク装置は、箱状の装置本体と、該装置本体に対し移動可能なディスクトレイとを有し、光ディスクは、ディスクトレイに収納され、ディスクトレイの移動により装置本体に装填される。装置本体内部には、ターンテーブルを有する光ディスク回転駆動機構が搭載されたシャーシが上下動可能に設置されている。また、装置本体の天板には、ディスククランパが回転可能に設置されている（例えば、特許文献１参照）。
【０００３】
装置本体に光ディスクが装填されると、シャーシとともにターンテーブルが上昇することにより、ターンテーブルに光ディスクが装着され、さらに、ディスククランパがターンテーブルとの間で光ディスクを挟持する。この状態で、光ディスク回転駆動機構の駆動により、ターンテーブルが回転し、それに伴い、光ディスクおよびディスククランパが回転する。
【０００４】
さて、このようなディスク装置では、光ディスク回転駆動機構の駆動により光ディスクが回転する際、その回転等により振動が発生し、騒音を招くという問題があった。
【０００５】
【特許文献１】実開平７−４１７３６号公報
【発明の開示】
【発明が解決しようとする課題】
【０００６】
本発明の目的は、光ディスク回転駆動機構の駆動により光ディスクが回転する際に生じる騒音等を抑制することのできるディスク装置を提供することにある。
【課題を解決するための手段】
【０００７】
このような目的は、下記（１）〜（４）の本発明により達成される。
（１）  光ディスクに記録された情報を再生する機能を有するディスク装置であって、
外装ケースを有する装置本体と、
前記装置本体に光ディスクを装填する装填位置と、該装填位置より前側の、光ディスクを排出する排出位置とに移動可能なディスクトレイと、
前記装置本体内で変位可能に設置されたシャーシと、
前記シャーシに搭載され、光ディスクを装着するターンテーブルを有し、前記シャーシの変位により前記装置本体内で上昇位置と下降位置とに移動する光ディスク回転駆動機構と、
前記外装ケースの天板に対し回転可能に設置され、前記光ディスク回転駆動機構が前記上昇位置に移動したとき前記ターンテーブルとの間で光ディスクを挟持するディスククランパとを有し、
前記天板の内側に、複数の孔が形成された孔あき板が間隙を介して設置されていることを特徴とするディスク装置。
【０００８】
（２）  光ディスクに記録された情報を再生する機能を有するディスク装置であって、
外装ケースを有する装置本体と、
前記装置本体に光ディスクを装填する装填位置と、該装填位置より前側の、光ディスクを排出する排出位置とに移動可能なディスクトレイと、
前記装置本体内で変位可能に設置されたシャーシと、
前記シャーシに搭載され、光ディスクを装着するターンテーブルを有し、前記シャーシの変位により前記装置本体内で上昇位置と下降位置とに移動する光ディスク回転駆動機構と、
前記外装ケースの天板に対し回転可能に設置され、前記光ディスク回転駆動機構が前記上昇位置に移動したとき前記ターンテーブルとの間で光ディスクを挟持するディスククランパと、
前記ディスクトレイの前記光ディスクを載置する面と反対側に間隙を介して設置された裏板とを有し、
前記ディスクトレイには、複数の孔が形成されていることを特徴とするディスク装置。
【０００９】
（３）  前記孔の形成部分の厚さが０．４〜１ｍｍであり、
前記間隙の距離が０．５〜５ｍｍであり、
前記孔の直径が０．６〜２ｍｍであり、
隣り合う前記孔同士の中心間距離が１０〜２０ｍｍである上記（１）または（２）に記載のディスク装置。
【００１０】
（４）  前記間隙には、吸音材が設置されている上記（１）ないし（３）のいずれかに記載のディスク装置。
【発明の効果】
【００１１】
本発明によれば、光ディスク回転駆動機構の駆動により光ディスクが回転する際に生じる騒音、振動等の振動エネルギーを、天板の内側に設けられた間隙またはディスクトレイの光ディスクを載置する面と反対側に設けられた間隙が熱エネルギーに変換することによって、このような騒音、振動等を抑制することができる。
【発明を実施するための最良の形態】
【００１２】
以下、本発明のディスク装置を添付図面に示す好適な実施形態に基づいて詳細に説明する。
【００１３】
＜第１実施形態＞
図１は、本発明のディスク装置の第１実施形態を示す平面図、図２は、図１に示すディスク装置の内部構造を示す平面図、図３は、図１に示すディスク装置を示す断面側面図、図４は、図１に示すディスク装置におけるディスククランパおよびターンテーブルの付近を示す部分断面側面図、図５は、本発明のディスク装置の第１実施形態を示す断面側面図、図６は、図５に示す孔あき板の平面図である。なお、以下では、説明の都合上、特に述べない限り、図３（図４、図５、図７も同様）中の左方を「前」、右方を「後」、上方を「上」、下方を「下」として説明する。
【００１４】
これらの図に示すディスク装置１は、音楽用ＣＤ、ＣＤ−ＲＯＭ、ＣＤ−Ｒ、ＣＤ−ＲＷ、ＤＶＤ等の光ディスク２００に記録された情報を再生する機能（または記録／再生する機能）を有する装置であって、例えばパソコンのようなコンピュータ装置（図示せず）の本体に対し設置されるものである。
【００１５】
これらの図に示すように、ディスク装置１は、外装ケース２５を有する装置本体２と、光ディスク２００を載置し、装置本体２に対し前後方向に移動するディスクトレイ１１と、装置本体２内に設置されたスレッドメカユニット３とを備えている。以下、各部の構成について説明する。
【００１６】
図１ないし図３に示すように、装置本体２は、フレーム２１と、フレーム２１を覆うように構成された外装ケース２５と有している。
【００１７】
外装ケース２５は、フレーム２１の下部および側部を覆うケーシング２２と、フレーム２１の上部を覆う天板（蓋体）２３とを有している。
【００１８】
フレーム２１には、ディスクトレイ１１、ディスクトレイ移動機構１６、スレッドメカユニット３、メイン回路基板１２等が設置（搭載）されている。
【００１９】
フレーム２１には、ケーシング２２が例えばビス止めにより固定されており、フレーム２１の下部は、ケーシング２２の底板２２１により覆われている。また、フレーム２１の上部には、天板２３が例えばビス止めにより固定され、フレーム２１と天板２３との間にディスクトレイ１１を収納する空間が形成される。
【００２０】
なお、フレーム２１およびディスクトレイ１１は、それぞれ、樹脂材料で成形されたものである。また、ケーシング２２および天板２３は、それぞれ、金属板をプレス成形等により所定に変形させてなる板状部材である。
【００２１】
天板２３の後述するターンテーブル５２に対向する位置には、ディスククランパ８が回転可能に設置されている。
【００２２】
メイン回路基板１２には、ディスク装置１の諸動作を制御する回路が形成されているとともに、前記コンピュータ装置の本体と接続するためのインターフェイスコネクタや、マイクロプロセッサ、メモリ、モータドライバなどの各種ＩＣや、抵抗、コンデンサ、スイッチなどの各種電子部品が搭載されている。図３に示すように、メイン回路基板１２は、後述するスレッドメカユニット３（シャーシ４）の下側に設置されている。
【００２３】
ディスクトレイ１１は、浅い凹状のディスク収納部１１１を有しており、光ディスク２００は、このディスク収納部１１１に収納された状態で搬送される。
【００２４】
ディスクトレイ１１は、フレーム２１に搭載されたディスクトレイ移動機構１６の駆動により、装置本体２に対し前後方向に移動（摺動）する。すなわち、ディスクトレイ１１は、装置本体２に対し、光ディスク２００を装填する装填位置（図３に示す位置）と、光ディスク２００を排出する排出位置（図示せず）とに移動可能になっている。ディスクトレイ１１が装填位置にある状態（以下、「装填状態」と言う）では、ディスクトレイ１１は、その全体が装置本体２に収納される。ディスクトレイ１１が排出位置にある状態（以下、「排出状態」と言う）では、ディスクトレイ１１は、その大半が装置本体２より前方に突出する。
【００２５】
図２に示すように、装置本体２の内部には、スレッドメカユニット３を支持する枠部材１３が設置されている。枠部材１３は、ほぼ長方形の枠状をなしており、その後端部には、軸１３１が両側にそれぞれ突出形成されている。軸１３１は、フレーム２１に形成された受け部に回動可能に支持されている。これにより、枠部材１３は、装置本体２に対し軸１３１を中心として回動可能になっている。
【００２６】
枠部材１３は、駆動機構１７の駆動により、装填状態では天板２３および底板２２１とほぼ平行な姿勢となり（図３参照）、排出状態ではその前方側が下方向に変位して天板２３および底板２２１に対し傾斜した姿勢となるように変位する。
【００２７】
枠部材１３の内側には、スレッドメカユニット３が位置している。スレッドメカユニット３は、主に、シャーシ４と、光ディスク回転駆動機構５と、光ピックアップ（光学ヘッド）６と、光ピックアップ移動機構７とで構成されている。
【００２８】
シャーシ４は、縁部にリブ（壁部）が形成されたほぼ板状の形状をなしており、このシャーシ４に光ディスク回転駆動機構５と、光ピックアップ６と、光ピックアップ移動機構７とがそれぞれ設置（搭載）されている。
【００２９】
シャーシ４は、３個のゴムブッシュ（弾性部材）１４を介して枠部材１３に固定されている。すなわち、シャーシ４は、装置本体２に対しゴムブッシュ１４を介して支持されている。このゴムブッシュ１４により、振動や衝撃を吸収することができる。
【００３０】
光ディスク回転駆動機構５は、スピンドルモータ５１と、該スピンドルモータ５１のロータ５１１に固定されたターンテーブル５２とを有しており、シャーシ４の前側に設置されている。光ディスク回転駆動機構５は、ターンテーブル５２に光ディスク２００を装着（載置）して、この光ディスク２００を回転駆動するものである。
【００３１】
光ピックアップ６は、対物レンズ６１と、該対物レンズ６１を光軸方向（フォーカシング）および光ディスク２００の半径方向（トラッキング）に駆動するアクチュエータ６２と、レーザ光源と、集光光学系と、ビームスプリッタ（またはハーフミラー）と、情報検出用およびフォーカシング信号、トラッキング信号検出用の受光素子と、これらを支持する支持部材６３とを備え、光ディスク２００の記録面へ照射されたレーザ光の反射光を、対物レンズ、ビームスプリッタ（またはハーフミラー）等を介して受光素子へ導く構成のものである。
【００３２】
対物レンズ６１は、装填状態では、ディスクトレイ１１に形成された開口１１２よりディスク収納部１１１内に露出し、光ディスク２００の記録面と対面する。
【００３３】
支持部材６３は、例えばダイキャストで製造されるような金属材料で構成されている。支持部材６３の図２中の左側には、ガイドシャフト７６を挿通する孔が形成された一対の摺動部６４が形成されている。また、支持部材６３の図２中の右側には、ガイドシャフト７７に係合し、このガイドシャフト７７に沿って摺動する摺動部６５が形成されている。
【００３４】
光ピックアップ移動機構７は、正転／逆転可能なスレッドモータ７１と、該スレッドモータ７１の回転軸に固定されたウォーム７２と、該ウォーム７２に噛合する大径ギア７３と、大径ギア７３に固定されかつ同軸で回転する小径ギア７４と、支持部材６３に固定され、小径ギア７４と噛合するラックギア７５と、支持部材６３の移動経路を規定し、これを案内する一対のガイドシャフト７６および７７とで構成されている。
【００３５】
スレッドモータ７１が駆動すると、その回転力がウォーム７２、大径ギア７３、小径ギア７４およびラックギア７５に順次伝達され、支持部材６３がガイドシャフト７６、７７に沿って光ディスク２００の径方向（半径方向）に所定の移動範囲内で移動する。この場合、スレッドモータ７１の回転方向により、支持部材６３は、光ディスク２００の回転中心に接近する方向または回転中心から遠ざかる方向に移動する。
【００３６】
シャーシ４（スレッドメカユニット３）は、枠部材１３と共に装置本体２に対し回動する。図３に示すように、この回動中心である軸１３１は、シャーシ４の後端付近に位置する。すなわち、シャーシ４の後端は、回動中心となり装置本体２に対しほぼ変位しない回動端４１であり、シャーシ４の前端は、装置本体２に対しほぼ上下方向に変位する変位端４２になっている。
【００３７】
このような構成により、シャーシ４（スレッドメカユニット３）は、装填状態では、変位端４２側が上昇して、天板２３および底板２２１にほぼ平行な姿勢になり（図３参照）、排出状態では、変位端４２側が下降して、天板２３および底板２２１に対し傾斜した姿勢になる。これに伴って、光ディスク回転駆動機構５は、装置本体２内で上昇位置（図３に示す位置）と下降位置とに移動する。
【００３８】
光ディスク回転駆動機構５が下降位置にあるときには、ターンテーブル５２は、ディスクトレイ１１の下側に位置し、排出位置に移動するディスクトレイ１１と干渉しないようになっている。
【００３９】
光ディスク回転駆動機構５が上昇位置にあるときには、ターンテーブル５２は、開口１１２よりディスク収納部１１１内に突出（露出）し、これにより、装置本体２内に装填された光ディスク２００がターンテーブル５２に装着（載置）される。この状態では、ディスククランパ８がターンテーブル５２に設置された磁石５２１に吸着され、これにより、光ディスク２００がターンテーブル５２とディスククランパ８との間で挟持される（図３参照）。
【００４０】
以下、ターンテーブル５２、ディスククランパ８等の構成について、詳細に説明する。
図４に示すように、ターンテーブル５２は、その中心部に形成された孔５２２にスピンドルモータ５１の回転軸５１２が嵌入した状態で、スピンドルモータ５１のロータ５１１に固定（固着）されている。回転軸５１２は、孔５２２の途中まで挿入しており、孔の残りの部分により、ターンテーブル５２の中心部に、凹部５２５が形成されている。
【００４１】
ターンテーブル５２は、全周に渡り外周側に突出する円板状のフランジ部５２３を有しており、このフランジ部５２３上に光ディスク２００が載置される。
【００４２】
また、ターンテーブル５２は、フランジ部５２３の中央部から突出する略円錐台状の突出部５２４を有している。フランジ部５２３上に光ディスク２００が載置された状態では、光ディスク２００の中心部に形成された孔２０１に突出部５２４がほぼ隙間なく挿入することにより、光ディスク２００がターンテーブル５２と中心を合わせてターンテーブル５２に装着される。
【００４３】
突出部５２４の上面内部には、図示しないリング状（円環状）の磁石（永久磁石）が埋入した状態で設置されている。なお、この磁石は、ディスククランパ８側に設置されていてもよい。
【００４４】
天板２３のターンテーブル５２に対向する部分は、内面側に盛り上がるように成形されており、この内面側に盛り上がった部分は、ディスククランパ８が設置される設置部２３１になっている。この設置部２３１には、ディスククランパ８が設置され得るようなほぼ円形の開口（孔）２３２が形成されている。
【００４５】
天板２３の設置部２３１の部分の外面側は、凹部になっている。図１、図３および図４に示すように、この設置部２３１の外面側の凹部は、円板２４により塞がれている。
【００４６】
図４に示すように、ディスククランパ８は、天板２３の内面側に露出し、光ディスク２００に接触するほぼ円盤状（円板状）の第１の部材８１と、該第１の部材８１の上側に同心的に固定されたほぼ円盤状（円板状）の第２の部材８２と、第１の部材８１と第２の部材８２とで挟持された円板状の金属部材８３とで構成されている。第１の部材８１および第２の部材８２は、好ましくは樹脂材料により成形されたものである。
【００４７】
このディスククランパ８では、第１の部材８１の上側の部分と、第２の部材８２の下側の部分とにより、短い円柱状（円筒状）の胴部８４が形成されている。胴部８４の直径（外径）は、開口２３２の直径（内径）より小さくなっており、ディスククランパ８は、胴部８４が開口２３２に遊嵌（隙間のある状態で挿入）することにより、遊びを持った状態で設置されている。これにより、ディスククランパ８は、天板２３に対し、その半径方向の全方向に移動可能になっている。
【００４８】
第２の部材８２の胴部８４を構成する部分には、その直径がディスクトレイ１１に近づく方向、すなわち下方向に向かって漸減するテーパ部８２２が形成されている。
【００４９】
第２の部材８２（胴部８４）の上端部には、全周に渡り外周側に突出するフランジ部（係合部）８２１が形成されている。このフランジ部８２１の外径は、開口２３２の直径より大きくなっており、よって、フランジ部８２１は、開口２３２を通過し得ないものとなっている。ターンテーブル５２が上昇していない状態では、ディスククランパ８は、開口２３２の周囲の天板２３（設置部２３１）の外面にフランジ部８２１が係合することにより、天板２３に支持される。なお、フランジ部８２１のような係合部は、全周に渡りリング状に突出するものに限らず、開口２３２を通過し得ない形状であれば、例えば、周方向に沿って間欠的に形成された爪部のようなものであってもよい。
【００５０】
第１の部材８１の下端部には、胴部８４より直径の大きい円板状の当接部８１１が形成されている。図４に示すように、ターンテーブル５２とディスククランパ８とで光ディスク２００を挟持する状態では、この当接部８１１の少なくとも一部が光ディスク２００に当接する。当接部８１１の外周付近の部分は、上側に屈曲しており、スカート状になっている。
【００５１】
ディスククランパ８は、胴部８４の長さの範囲で、天板２３に対しその回転軸方向（上下方向）に移動可能になっている。
【００５２】
ディスククランパ８の下面の中央部には、ほぼ円錐台状の凹部８５が形成されている。凹部８５の底部の中心部からは、第２の部材８２と一体的に形成された位置決めボス８６が突出している。また、凹部８５の底部（底面）には、金属部材８３が露出している。
【００５３】
図４に示す状態（以下、「クランプ状態」と言う）では、ターンテーブル５２の突出部５２４が凹部８５に挿入し嵌合するとともに、位置決めボス８６が凹部５２５に挿入し嵌合する。これにより、ディスククランパ８の中心とターンテーブル５２の中心とが一致した状態が得られる。また、クランプ状態では、前記磁石が金属部材８３を磁気吸引することにより、ディスククランパ８がターンテーブル５２に引き付けられ（吸着され）、両者の間で光ディスク２００を挟持する。
【００５４】
また、クランプ状態では、ディスククランパ８は、ターンテーブル５２によって持ち上げられるようにして少し上方に移動し、フランジ部８２１が天板２３の設置部２３１の外面から離間した状態になる。この状態では、図示の構成では、テーパ部８２２の下端部付近が設置部２３１の高さに位置する。
【００５５】
さて、図２、図３および図４中では、省略されているが、このようなディスク装置１の内側には、光ディスク回転駆動機構５の駆動により光ディスク２００が回転する際、この光ディスク２００から生じる騒音を吸収する（抑制する）機能を有する孔あき板９が設けられている。
【００５６】
図５に示すディスク装置１では、天板２３の内側に、複数の孔９１が形成された孔あき板９が間隙９２を介して設置されている。
【００５７】
この間隙９２には、孔あき板９を保持する保持部材９３が設けられており、孔あき板９は、天板２３と光ディスク２００との間に、保持部材９３により天板２３に保持（設置）されている。換言すれば、孔あき板９は、光ディスク２００の上面にほぼ対向するように、天板２３に保持（設置）されている。
【００５８】
光ディスク回転駆動機構５の駆動により光ディスク２００が回転する際の騒音は、孔あき板９に複数形成された孔９１を通過し、間隙９２に到達する。このとき、間隙９２内で共振により空気が激しく振動する。この振動により孔の管壁との摩擦が生じ、騒音による振動エネルギーが熱エネルギーに変換される。これにより、騒音を抑制することができる。
【００５９】
また、孔９１の形成部分の厚さ（図５中のｔで示す長さ）は、０．４〜１ｍｍであるのが好ましく、０．４〜０．６ｍｍであるのがより好ましい。
【００６０】
また、間隙９２の距離（図５中のＬで示す長さ）は、０．５〜５ｍｍであるのが好ましく、０．５〜２ｍｍであるのがより好ましい。
【００６１】
また、孔９１の直径（図６中のＤで示す長さ）は、０．６〜２ｍｍであるのが好ましく、０．６〜１ｍｍであるのがより好ましい。
【００６２】
また、隣り合う孔９１同士の中心間距離（図６中のＰで示す長さ）は、１０〜２０ｍｍであるのが好ましく、１５〜２０ｍｍであるのがより好ましい。
【００６３】
孔あき板９をこれらの数値範囲に設定することにより、より効果的に光ディスク２００の回転による騒音を抑制することができる。
【００６４】
また、孔あき板９は、ディスククランパ８を含む周辺部が開口しているのが好ましい。これにより、前記周辺部との干渉を防止することができる。
【００６５】
また、間隙９２の少なくとも一部に、吸音材１０を設置しても良い。これにより、より効果的に光ディスク２００の回転による騒音を抑制することができる。
【００６６】
この吸音材１０としては、例えば、メンブランフィルター、発泡体（発泡ポリウレタン、発泡ポリエチレン、発泡ポリプロピレン等）、焼結体（各種セラミックス）、メッシュ等のような非繊維性多孔質材、織編物、不織布、紙類、短繊維の集合体等のような繊維性多孔質材等が挙げられる。
【００６７】
また、孔あき板９の設置の仕方は、特に限定されず、本実施形態のように、保持部材９３を介して天板２３に設置されていてもよいし、吸音材１０を介して設置されていてもよい。また、これら両部材を介して設置されていてもよい。
【００６８】
＜第２実施形態＞
図７は、本発明のディスク装置の第２実施形態を示す断面側面図、図８は、図７に示すディスクトレイの平面図である。なお、図７および図８中のｔ、Ｌ、ＤおよびＰは、前述と同様に定義される。
【００６９】
以下、これらの図を参照して本発明のディスク装置の第２実施形態について説明するが、前述した第１実施形態との相違点を中心に説明し、同様の事項はその説明を省略する。
【００７０】
図７に示すディスク装置１では、ディスクトレイ１１の光ディスク２００を載置する面１１３（ディスク収納部１１１）と反対側に、間隙１８１を介して設置された裏板１８とを有している。ディスクトレイ１１には、面１１３の少なくとも一部に複数の孔１１４が形成されている。
【００７１】
この間隙１８１には、保持部材１８２が設けられており、これにより、裏板１８が孔１１４が形成されている面に対向するように、ディスクトレイ１１に保持（設置）されている。
【００７２】
これにより、前述と同様に、光ディスク２００の回転による騒音を抑制することができる。
【００７３】
また、前記ｔ、前記Ｌ、前記Ｄおよび前記Ｐは、前述したように設定される。これにより、前記第１実施形態と同様の作用・効果を得ることができる。
【００７４】
また、間隙１８１の少なくとも一部分には、吸音材１０が設置されている。これにより、前記第１実施形態と同様の作用・効果が得ることができる。
【００７５】
このときの吸音材１０としては、前記第１実施形態と同様である。
なお、裏板１８の設置の仕方は、特に限定されず、本実施形態のように、保持部材１８２を介してディスクトレイ１１に設置されていてもよいし、吸音材１０を介して設置されていてもよい。また、これら両部材を介して設置されていてもよい。
【００７６】
以上、本発明のディスク装置を図示の実施形態について説明したが、本発明は、これに限定されるものではなく、ディスク装置を構成する各部は、同様の機能を発揮し得る任意の構成のものと置換することができる。また、任意の構成物が付加されていてもよい。
【００７７】
また、本発明のディスク装置は、前記各実施形態のように、天板の内側に、光ディスク回転駆動機構の駆動により光ディスクが回転する際の騒音を吸収する（抑制する）機能を設けたり、ディスクトレイの光ディスクを載置する面と反対側に、前記機能を設けたりすることに、限定されず、例えば、両者に設けてもよいし、前述した箇所を含むディスク装置の内側の設置可能な箇所に、前記機能を複数設けてもよい。
【００７８】
また、本発明のディスク装置は、前記各実施形態のうちの、任意の２以上の構成（特徴）を組み合わせたものであってもよい。
【図面の簡単な説明】
【００７９】
【図１】本発明のディスク装置の第１実施形態を示す平面図である。
【図２】図１に示すディスク装置の内部構造を示す平面図である。
【図３】図１に示すディスク装置を示す断面側面図である。
【図４】図１に示すディスク装置におけるディスククランパおよびターンテーブルの付近を示す部分断面側面図である。
【図５】本発明のディスク装置の第１実施形態を示す断面側面図である。
【図６】図５に示す孔あき板の平面図である。
【図７】本発明のディスク装置の第２実施形態を示す断面側面図である。
【図８】図７に示すディスクトレイの平面図である。
【符号の説明】
【００８０】
１            ディスク装置
１１          ディスクトレイ
１１１        ディスク収納部
１１２        開口
１１３        面
１１４        孔
１２          メイン回路基板
１３          枠部材
１３１        軸
１４          ゴムブッシュ
１６          ディスクトレイ移動機構
１７          駆動機構
１８          裏板
１８１        間隙
１８２        保持部材
２            装置本体
２１          フレーム
２２          ケーシング
２２１        底板
２３          天板
２３１        設置部
２３２        開口
２４          円板
２５          外装ケース
３            スレッドメカユニット
４            シャーシ
４１          回動端
４２          変位端
５            光ディスク回転駆動機構
５１          スピンドルモータ
５１１        ロータ
５１２        回転軸
５２          ターンテーブル
５２１        磁石
５２２        孔
５２３        フランジ部
５２４        突出部
５２５        凹部
６            光ピックアップ
６１          対物レンズ
６２          アクチュエータ
６３          支持部材
６４、６５    摺動部
７            光ピックアップ移動機構
７１          スレッドモータ
７２          ウォーム
７３          大径ギア
７４          小径ギア
７５          ラックギア
７６、７７    ガイドシャフト
８            ディスククランパ
８１          第１の部材
８１１        当接部
８２          第２の部材
８２１        フランジ部
８２２        テーパ部
８３          金属部材
８４          胴部
８５          凹部
８６          位置決めボス
９            孔あき板
９１          孔
９２          間隙
９３          保持部材
１０          吸音材
２００        光ディスク
２０１        孔
【図１】
2005044469.tif 000003
【図２】
2005044469.tif 000004
【図３】
2005044469.tif 000005
【図４】
2005044469.tif 000006
【図５】
2005044469.tif 000007
【図６】
2005044469.tif 000008
【図７】
2005044469.tif 000009
【図８】
2005044469.tif 000010